(57)【要約】【課題】スプレーガンの噴出ノズル（塗料噴出口）からの塗料を適当な距離で交差させることができる塗料噴出口を提供し、天然石のような多彩配合色模様を容易に形成することが可能な塗装用スプレーガンを提供する。【解決手段】スプレーガン本体に脱着可能な塗料噴出口に、空気誘導板を設けた高圧エアー導入管を備え、前記塗料噴出口と前記空気誘導板との間に供給される塗料を、前記空気誘導板から噴射される高圧エアーによって、前記塗料噴出口から噴射するようにした複数頭を有する塗装用スプレーガンにおいて、前記塗料噴出口にノズル内部を少なくとも二分割する仕切り板を設けた。ここで、仕切り板が塗料噴出口のノズル内部を二分割するもので、かつ、噴出口の出口側の仕切り板の中央部に、略Ｖ字状の形状の切り込みが設けられ、かつ、開閉弁・バルブの機能により色の配合比率の調節が可能であることが好ましい。【選択図】図１
2007175650.tif 000002
【特許請求の範囲】
【請求項１】
スプレーガン本体に脱着可能な塗料噴出口が後方にあり、そして先端に空気誘導板を設けた高圧エアー導入管を備え、前記塗料噴出口と前記空気誘導板との間に供給される塗料を、前記空気誘導板から噴射される高圧エアーによって、前記塗料噴出口から噴射するようにした塗装用スプレーガンにおいて、前記塗料噴出口に噴出口内部を少なくとも二分割し、先端の噴出口まで仕切り板が設けられたことを特徴とする塗装用スプレーガンの塗料噴出システム。
【請求項２】
前記仕切り板が前記塗料噴出口のノズル先端内部を二分割するもので、かつ、前記塗料噴出口の噴出口の出口側の仕切り板の中央部に、略Ｖ字状の形状の切り込みが設けられたことを特徴とする請求項１に記載の塗装用スプレーガンの塗料噴出システム。
【請求項３】
前記切り込みの幅が、前記塗料噴出口の噴出口内径の略１／３であることを特徴とする請求項１又は２に記載の塗装用スプレーガンの塗料噴出システム。
【請求項４】
請求項１乃至３のいずれか１項に記載の塗装用スプレーガンの塗料噴出システムと、塗料用タンクからの塗装材の流動量を制御する塗料比率配合弁を備えたことを特徴とする塗装用スプレーガン。
【発明の詳細な説明】
【技術分野】
【０００１】
本発明は、塗料を圧縮空気で霧化する塗装用スプレーガンの塗料噴出口に関するもので、特に、複数の塗料材料の組合せにより、色相美の融和を表現することが可能な多彩配合色模様形成用のスプレーガンの噴出口チップの構造技術に関するものである。また、１頭の吹付けスプレーガン内部の構造により、数多くの多彩色を作製するための技術に関するものである。
【背景技術】
【０００２】
従来から、建築物の塗装材を外壁等に塗布する方法として、コテ塗り法、ローラー法、吹き付け法等がある。コテ塗り法は、コテで仕上げ材を塗り付けていく方法であり、ローラー法と、コテの代わりにローラーを使用し、そのローラーに凹凸を設けることにより塗装材を立体的に塗布できる方法である。また、吹き付け法とは、高圧エアーの噴出力を用いてスプレーガンから塗装材を吹き付ける方法である。
【０００３】
スプレーガンから塗装材を吹き付ける方法では、スプレーガンのタンクに塗装材を入れて吹き付けており、塗装材を種々の色に調整しても配合された一色になり、御影石や大理石等の天然石のような色合いにすることは困難であることが知られている。
また、従来の塗装用器具内部での多彩色配合濃度方法は不可能であった。
【０００４】
かかる状況下、この吹き付け方法において、天然石のような多彩配合色模様を作るための塗装方法は色々と発明されている。
例えば、塗装材中に完全に配合しない数色の塗料を混入し、手持ち式の取手を有した容器に塗材を収納し、この容器に取り付けたスプレーガンで吹き付け塗装し、塗膜面にあらかじめ混入した数色の塗料をそのまま浮き出させて模様を作る方法が知られている（例えば、特許文献１）。
また、数種の塗料をそれぞれの別の容器に入れ、容器から数種の塗装材を双頭スプレーガン又は３頭以上のスプレーガンに供給し、これらのスプレーガンからの噴霧が互いに交差するようにして数種の塗料を配合させながら塗膜面を作ることによって多彩配合色模様の塗膜を作る方法も知られている（例えば、特許文献１、特許文献２）。
【０００５】
しかし、従来の双頭スプレーガン又は３頭以上のスプレーガンによる多彩配合色模様の塗装は、数種の塗料をバランスよく配合させるため、スプレーガンの噴出ノズル（塗料噴出口）からの塗料を適当な距離で交差させる必要がある。
【０００６】
【特許文献１】特開平９−１９２５４７号公報
【特許文献２】特開平１０−２２５６５２号公報
【特許文献３】特開平１１−１００５９号公報
【発明の開示】
【発明が解決しようとする課題】
【０００７】
上述の如く、従来の双頭スプレーガン又は３頭以上のスプレーガンによる多彩配合色模様の塗装において、数種の塗料をバランスよく配合させるため、スプレーガンの噴出ノズル（塗料噴出口）からの塗料を適当な距離で交差させる必要がある。
本発明は、かかる問題点を鑑みてなされたものであり、その目的とするところは、スプレーガンの噴出ノズル（塗料噴出口）からの塗料を適当な距離で交差させることができる塗料噴出口を提供し、天然石のような多彩配合色模様を容易に形成することが可能な塗装用スプレーガンを提供することを目的とする。
【課題を解決するための手段】
【０００８】
本発明者は、建築現場で塗装作業を長年にわたり業として行ってきた者であり、様々な検討を行い、試作・改良を重ねた結果、本発明を完成した。
上記目的を達成するために、本発明に係る塗装用スプレーガンの塗料噴出口は、粘着性の高い塗装材が壁面に沿って流動する特質があることを利用して、異色の塗装材を配合することなく噴出口まで誘導するように塗料噴出口に仕切り板を設け、また、切り込みを設けることにより、異色の塗装材の融和面積を制御できるようにしたものである。
【０００９】
ここで、塗装材とは、塗材に配合する無機、有機の顔料、着色骨材、自然石粉砕物、各種充填材、粘性調整剤、乾燥調整剤、造膜助剤、消泡剤、分散剤、防腐剤、防カビ、防藻剤等の添加剤を適宜配合することができるものである。  
【００１０】
また、異色とは、必ずしも単なる色相が異なるという意味ではなく、色相差、明度差、彩度差、模様の違いの少なくとも何れかによって、異なる塗装材であると認識できる程度の状態をいう。
【００１１】
先ず、本発明の第１の観点によれば、スプレーガン本体に脱着可能な塗料噴出口の後方に、先端に空気誘導板を設けた高圧エアー導入管を備え、前記塗料噴出口と前記空気誘導板との間に供給される塗料を、前記空気誘導板から噴射される高圧エアーによって、前記塗料噴出口から噴射するようにした複数頭を有する塗装用スプレーガンにおいて、前記塗料噴出口にノズル内部を少なくとも二分割する仕切り板が設けられた塗装用スプレーガンの塗料噴出システムが提供される。
【００１２】
例えば、双頭スプレーガンにおいて、塗料噴出口の内面を二分割する仕切り板を設けることで、塗料噴出口と前記空気誘導板との間に供給される塗料を、塗料噴出口の噴出口まで配合することなく噴出口まで誘導することができるのである。粘着性の高い塗装材が壁面に沿って流動する特質があることを利用したものである。
【００１３】
本発明の塗料噴出口は、第１の観点に係る塗料噴出口において、仕切り板が塗料噴出口のノズル内部を二分割するもので、かつ、噴出口の出口側の仕切り板の中央部に、略Ｖ字状の形状の切り込みが設けられることが好ましい。
【００１４】
仕切り板に略Ｖ字状の切り込みを設けることにより、異色の塗料の融和を図ることができるのである。異色の塗料の融和とは、天然石のような多彩配合色模様を形成できる程度に混じり合うことを意味する。略Ｖ字状の切り込みは、塗料の噴出方向（進行方向）に向かい、切り込み幅が拡がっていくため、異色の塗料の接触面積は塗料噴出口先端の噴出口付近で最大になる。また、この略Ｖ字状の切り込みに、空気誘導板から噴射される高圧エアーが誘導されることになる。つまり、この略Ｖ字状の切り込みのポイントは、多数の色の塗料が共有、調和できる点にある。
本発明者は、上記の塗料噴出口を実際に試作し改良を重ねることにより、スプレーガンの噴出ノズル（塗料噴出口）からの塗料を適当な距離で交差させることができることを知見したのである。
【００１５】
本発明者は、さらに、塗料噴出口を改良していく中で、上記の切れ込み幅が、好ましくは、塗料噴出口の噴出口内径の略１／３であることを知見した。塗装材の粘度によって、塗料噴出口の噴出口径を調整しなければならないが、切れ込み幅は、いずれも塗料噴出口の噴出口内径の略１／３が最適であった。
切れ込み深さは、噴出口内径の１／２程度である。
【００１６】
仕切り板に略Ｖ字状の切れ込みの大きさ、Ｖ字の開き角度や、Ｖ字の深さを変化させることで、異色の塗料の接触面積を制御することができる。
尚、空気誘導板の先端部の位置（塗料噴出口の仕切り板と空気誘導板の先端の間隙と、空気圧量を考慮することが必要である。略Ｖ字形状内の空間を通過する空気圧（７Ｋ；７０９１ヘクトパスカル）をベスト空気圧として、Ｖ字の角度とＶ字の深さを設定している。この空気圧は、粘着濃度と密接な関係にあり、仕切り板の略Ｖ字状の切れ込みは、空気圧と粘着度を最大限に応用した形状である。
仕切り板に略Ｖ字状の切れ込み部分で配合することにより、多彩配合色模様を形成する個々の色彩が各々強調しすぎることがなく、異色の塗料を配合させることができるのである。
【００１７】
次に、本発明の第２の観点によれば、上述の第１の観点の塗料噴出口と、塗装材の流動制御バルブを備えた塗装用スプレーガンが提供される。
【００１８】
多彩配合色模様の形成に用いる塗料の粘着度と流動性が異なる場合に、各塗料を格納するタンクに接続される塗料導入管に、塗料流動量を制御する開閉バルブを設けることで、配合状態のバランスを調整することができるのである。
【発明の効果】
【００１９】
本発明に係る塗装用スプレーガンは、上述の通り構成されているので、次に記載する効果を奏する。
塗料噴出口の内面に設けられた仕切り板により、異色の塗装材が、吹き付け前に配合されることがなく色が均一にならないため、まばらな模様を有する御影石等の自然石調の表面を形成できる。
また、仕切り板に設けられた略Ｖ字状の切れ込みにより、塗料噴出口からの塗料を適当な距離で交差させることができる。
これにより、建築物や土木構造物などの内外壁面に対し、多彩配合色模様から大理石、御影石等の自然石調までの多色状意匠を呈する塗膜を形成できることとなる。
【００２０】
また、一機の単頭スプレーガンのタンクを最低二つに仕切り、仕切られた各部に、それぞれの塗装材を投入したものに、本発明の塗料噴出口を用いることもできる。一機の単頭スプレーガンのタンクを仕切ったスプレーガンは、タンクが分割されている以外は非常にシンプルな構造であり、従来形の双頭スプレーガンをはじめとする多頭スプレーガンのような、複数の吹き出し口と、それに対応する複数の高圧エアー導入管の存在による、煩雑な調整が不要であり、構造が複雑化することによる重量の増加のない優れたスプレーガンを提供することができる。
【００２１】
異色の塗装材の融和は、塗装表面に立体感を醸し出す。すなわち、異色の塗装材の融和と塗装表面の陰影は密接な関係にある。仕切り板に設けられた略Ｖ字状の切れ込みは、高い粘着性を持って仕切り板側面に沿って流動してきた異色の塗装材が、接する場（境界面）を構築しているのである。この境界面では、色素（塗料の色顔料）の反射光量が異なる状態になっており、色合いが馴染んだ状態である。異色の塗装材がこの状態のときに、切り込み部に誘導される高圧エアーによって噴出されるため、塗料噴出口からの塗料を適当な距離で交差させることができるのである。
【発明を実施するための最良の形態】
【００２２】
以下、本発明を実施するための最良の形態を図面に基づいて説明する。
【実施例１】
【００２３】
本発明に係る実施例１の塗装用スプレーガンの概略構成を図１に基づき説明する。図１は本発明に係る塗装用スプレーガンの概略構成図である。図１に示すように、塗料用タンク５を有するスプレーガン主体１に装着された塗料噴出口２の後方に、先端に空気誘導板３を設けた高圧エアー導入管４を設け、塗料噴出口２と空気誘導板３との間の材料流管８に供給される塗料を、空気誘導板３から噴射される高圧エアーによって塗料噴出口２から噴射するようにした塗装用スプレーガンである。
【００２４】
多彩配合色模様を形成するために、塗料用タンク５は仕切り板（図示せず）によって、二分割されている。材料流管８においても、分割状態は維持されている。
そして、塗料噴出口の内面に形成された仕切り板６によって、塗料噴出口の先端付近の噴出口まで、分割状態は維持されることになる。高圧エアーの噴射口である空気誘導板３の先端では、塗料用タンク５の仕切り板（図示せず）と塗料噴出口２の仕切り板６が、不連続の状態となるが、仕切り板の不連続幅が塗料材料の進行方向に短いため、異色の塗料材料が配合する状態が回避でき、結果として、分割状態は維持されることになるのである。
【００２５】
図２は、本発明の実施例１の塗装用スプレーガンの断面構成図である。図２に示すように塗料用タンク５の下部に材料流管８を横向に屈曲して設け、その先端外周に脱着可能なように、螺着部１３を介して、塗料噴出口２が取り付けられる。
塗料噴出口２の内側で、材料流管３の内部に、空気誘導板２を配設し、材料流管３の屈曲部に設けたホールダー１２に材料流管８を摺動調節自在に嵌合し、調節止ネジ１４によって空気誘導板３の先端面の位置を調節することができる。
空気誘導板３の外端にはエアーコック１５を介してエアーホース１６を接続し、エアーホース１６から送られる高圧エアーによる空気誘導板３の反力は調節止ネジ１４によって止められかつ空気誘導板３の出し入れを調整することができる。塗料用タンク５には塗料比率配合弁１７が設けられている。
【００２６】
図３は、本発明の実施例１の塗装用スプレーガンの塗料噴出口の断面拡大図である。図に示すように、高圧エアーの噴射口である空気誘導板３の先端では、塗料用タンク５の仕切り板（図示せず）と塗料噴出口２の仕切り板６が、不連続の状態となるが、仕切り板の不連続幅が塗料材料の進行方向に短いため、異色の塗料材料が配合する状態が回避できることがわかる。また、仕切り板６には、略Ｖ字状の切れ込みがあり、仕切り板に略Ｖ字状の切れ込みの大きさ、Ｖ字の開き角度や、Ｖ字の深さを変化させることで、異色の塗料の接触面積を制御することができるのである。
また、仕切り板６は、塗料噴出口から噴出した塗料と高圧エアー導入管から噴出した高圧空気とが交わるところである。仕切り板６にある略Ｖ字状の切れ込みの空間領域は、高圧エアーの通り道であり、仕切り板６の部分は塗料の通り道である。従って、塗料の粘着材がこの仕切り板６にある略Ｖ字状の切れ込みの空間領域内（板のない部分）で、配合しあい、また、高圧エアーの経路として外部に噴出されることになる。
【００２７】
ここでは、Ｖ字状の切れ込み深さを、切れ込みの深さ方向（塗料材料の進行方向）の長さの１／２程度に設定している。また、Ｖ字状の切れ込み幅を塗料噴出口の内径の略１／３に設定している。
これらの値が、経験的に、最適な値となっており、多彩配合色模様を形成する個々の色彩が各々強調しすぎることがなく、異色の塗料を配合させることができるのである。
【００２８】
図４と図５は、各々、本発明の実施例１の塗装用スプレーガンの斜視図と内部構造を示す平面図である。
図４に示すように、本実施例では、単頭のスプレーガンの塗料用タンク５を仕切り板９によって、二分割し、５Ａ，５Ｂのタンクを形成している。この仕切り板９は、塗料噴出口２の螺着部１３まで連続しており、塗料噴出口２の仕切り板６とつながっていく。図５の平面図からも仕切り板９と仕切り板６がつながり（実際には、空気誘導板の先端付近で、高圧エアーを通すための間隙が存在する）、異なる塗料材料が塗料噴出口の噴出口付近の切れ込みまで配合しない状態が維持されるのである。
そして、仕切り板６の切り込みに誘導される高圧エアーによって、異なる塗料材料が適度に混在した状態で塗料材料が噴出されるため、異色の塗料材を塗料噴出口から適当な距離で交差させることができるのである。
【００２９】
図６は、本発明の実施例１の塗装用スプレーガンの透明度配合部（Ｖ字状切れ込み）７の役割を示す図である。図６（ａ）は空気圧の応用について示しており、噴出口径の内部で、高圧空気は口径外周を直進し、塗料のダンゴ状、大小、重量により高圧空気はＶ字状空間内で乱舞する様子を表している。なお、矢印は高圧空気の進行方向を示している。また、図６（ｂ）は、塗料粘着物の応用について示している。塗料は粘着性の故にダンゴ状に発射されるため、Ｖ字角度空間内で、異なる色の塗料が回転しつつ接近することになる。つまり、塗料は混合状態というよりも、融和状態になるのである。
【００３０】
図７は、本発明の実施例１の塗装用スプレーガンの塗料比率配合弁１７を示す図である。一頭の塗装用吹付けスプレーガンの内部にある、この塗料比率配合弁１７の２つの弁（１７ａ、１７ｂ）により、色の配合比率の調節が可能となるのである。
【００３１】
色とは、一般的に混合物の色種であるが、多彩色工法では、グレー色を表現するとき、白は白（粒子）塗料固体として存在し、黒は黒（粒子）塗料固体として存在する。この多彩色工法によって、その境界線上の場において、配合色の透明度を高め、多彩色の調和美が高まるのである。
また、多彩色工法により、ピンク系列（白対赤）、クリーム系列（白対黄）のような様々な色の対比率により、濃度の組合せ配合を可能としたものである。
本明細書内の粒子とは、混合することなく、他種色との配合度合いや境界部分での透明度を高める状態となっている。一般的には調和を意味するが、さらに詳しく述べるとすると、個々の色が自色を維持し、互いにその場に共有する状態の意味である。
塗料誘導比率開閉弁・バルブの構造を利用して、日本塗料工業会のような標準色見本帳に匹敵する色種以上が可能である。
本発明を用いることにより、現在の建築業会とは、色彩表現方法が異なるものであり、原色又は混合色の他の塗装色材料を利用して、新たな色彩美を有するものを提供できるのである。
また、本明細書における融和（配合・透明度）が意味する内情は、色種類が互いの色を強調することなく、穏やかに他色内部へ移り行く様子を融和と表現しているのである。従って、この色彩感においては他色同士の境界線上が透明度を高めるが故に、個々の色が違和感なく、その場に共有しあうこととなるのである。
この多彩色塗装スプレーガンの発明により、左右に設定された流動開閉弁・バルブの流動物塗料の対比率により、色（色相、明度、彩度）濃度の度合いを開閉弁の制御操作で色の配合が吹付けスプレーガン内部で自在に作製を可能としたものである。
【産業上の利用可能性】
【００３２】
本発明に係る塗装用スプレーガンは、建築物の表面処理に利用できる他、ブロック、壁板等の建材や、車輌などの塗装に応用できる。
特に、建築物や土木構造物などの内外壁面に対し、多彩配合色模様から御影石等の自然石調までの意匠を呈する塗膜を形成に有用である。
【図面の簡単な説明】
【００３３】
【図１】本発明の実施例１の塗装用スプレーガンの概略構成図である。
【図２】本発明の実施例１の塗装用スプレーガンの断面構成図である。
【図３】本発明の実施例１の塗装用スプレーガンの塗料噴出口の断面図である。
【図４】本発明の実施例１の塗装用スプレーガンの斜視図である。
【図５】本発明の実施例１の塗装用スプレーガンの内部構造を示す平面図である。
【図６】本発明の実施例１の塗装用スプレーガンの透明度配合部（Ｖ字状切れ込み）の役割を示す図である。
【図７】本発明の実施例１の塗装用スプレーガンの塗料比率配合弁１７を示す図である。
【符号の説明】
【００３４】
１  スプレーガン主体
２  塗料噴出口
３  空気誘導板
４  高圧エアー導入管
５，５Ａ，５Ｂ  塗料用タンク
６  仕切り板
７  透明度配合部（Ｖ字状切れ込み部）
８，８Ａ，８Ｂ  材料流管
９  タンク仕切り板
１１  塗料材料
１２  ホールダー
１３  螺着部
１４  調節止ネジ
１５  エアーコック
１６  エアーホース
１７  塗料比率配合弁
１７ａ  Ａ色弁
１７ｂ  Ｂ色弁
【図１】
2007175650.tif 000003
【図２】
2007175650.tif 000004
【図３】
2007175650.tif 000005
【図４】
2007175650.tif 000006
【図５】
2007175650.tif 000007
【図６】
2007175650.tif 000008
【図７】
2007175650.tif 000009